(57)【特許請求の範囲】
【請求項１】
けん軸と、一端面に大皿を有し他端面に小皿を有する皿胴とで構成されたけんと、
けん先（けん軸における皿胴よりも上側に突き出た部分全体のこと。以下同じ。）を刺し通すための穴を有する玉と、
けんと玉とを結ぶ糸と
を備えたけん玉において、
けん先の先端部が、着脱可能な着脱部材とされ、
該着脱部材として、互いに交換可能な複数の着脱部材が備えられ、該複数の着脱部材には、半球状又は円錐状を為すものが複数個含まれるとともに、
使用しない着脱部材を収容する部分が、けん又は玉に設けられていないことを特徴とするけん玉。
【請求項２】
複数の着脱部材のうち少なくとも２つの着脱部材が、重さ、形状又は色彩のうちいずれか１つ以上の項目において異なっている請求項１記載のけん玉。
【発明の詳細な説明】
【技術分野】
【０００１】
本発明は、けん玉に関する。
【背景技術】
【０００２】
けん玉は、古くから玩具として楽しまれているが、近年は、競技としてけん玉を行う者も増加している。けん玉の形態は、多種多様であるが、現在の日本においては、図１７に示すように、けん１００と、玉２００と、糸３００とで構成されたもの（例えば、特許文献１を参照。）が一般的となっている。図１７は、従来から存在する一般的なけん玉を示した正面図である。けん１００は、棒状のけん軸１１０と、鼓状の皿胴１２０とで構成された正面視十字架形状を為している。けん軸１１０における皿胴１２０よりも上側に突き出た部分１１１は、「けん先」と呼ばれ、玉２００には、けん先１１１を刺し通すための穴２１０が設けられている。皿胴１２０の一端面には大皿１２１が、皿胴１２０の他端面には小皿１２２が、けん軸１１０の下端面には中皿１１６がそれぞれ設けられており、これらの大皿１２１、小皿１２２及び中皿１１６で玉２００を受けることができるようになっている。各種のけん玉大会を主催する日本けん玉協会も、図１７に示す形態のけん玉を公式のものとして認定している。
【０００３】
ところが、従来のけん玉においては、玉２００から受ける衝撃などにより、けん先１１１の先端部が摩耗しやすいという問題があった。このため、競技でけん玉を行う者などは、けん先１１１が摩耗しただけで他の部分には特に問題がなくとも、けん玉そのものを買い替える必要があり、非経済的であった。また、けん玉の技の難易度（特に、「飛行機」のように、玉２００を持ってけん１１０を回転させる回転系の技の難易度）は、けん１１０の重量バランスなどによって左右される。しかし、従来のけん玉では、けん１１０の重量バランスなどを調節することができず、特定の技の難易度を高くしたり低くしたりということができなかった。このため、例えば、特定の技をマスターするために、難易度の低い重量バランスから難易度の高い重量バランスへと徐々にレベルアップさせていくということもできなかった。さらに、従来のけん玉では、既に多くの技が存在しているため、新しい技の開発は、既存の技のマイナーチェンジに留まっており、既存の技とは大きく異なる斬新な技を開発することは困難であった。
【０００４】
ところで、これまでには、けん先に相当する部分を着脱可能な構造としたけん玉も提案されている。例えば、特許文献２の第１図には、ビット取付部（７）の先端に設けたチャック（８）に各種ビットを装着できるようにしたけん玉形工具セットが記載されている。しかし、チャック（８）に装着するビットは、プラスドライバービットや、マイナスドライバービットなど、工具として使用する際に交換することを目的としたものであり、けん玉として使用する際のけん先に相当する部分の交換を目的としたものではない。また、特許文献３の第１図には、柄（チ）の上端に玉受（ハ）を螺合した球遊具が提案されている。しかし、特許文献３の球遊具において、けん先に相当するのは、柄（チ）の下端に設けられた尖頭棒（リ）であり、この尖頭棒（リ）を着脱可能とすることについては何ら記載されていない。
【０００５】
さらに、特許文献４の図３には、皿胴の上面中央部に角（７）を嵌め込む構造としたけん玉が記載されている。しかし、このように角（７）を皿胴に嵌め込む構造としたのでは、角（７）に玉（１）がぶつかった際などに角（７）が外れるおそれがある。加えて、特許文献４には、角（７）を別のものと交換することについては何ら記載されていない。さらにまた、特許文献５の図面には、鼓形の玉承（１）の上面中央部にけん先（６）を螺合する構造としたボール玩具が記載されている。しかし、特許文献５にも、けん先（６）を別のものと交換することについては何ら記載されていない。したがって、特許文献２〜５のけん玉などにおいても、けんの重量バランスなどを調節することができない。
【先行技術文献】
【特許文献】
【０００６】
【特許文献１】特開２００２−３４６０１１号公報
【特許文献２】実開平０１−１３２３８３号公報
【特許文献３】実公昭０３−００７３９８号公報
【特許文献４】特開２００２−３６０７５４号公報
【特許文献５】実公昭１２−０１６６９９号公報
【発明の概要】
【発明が解決しようとする課題】
【０００７】
本発明は、上記課題を解決するために為されたものであり、
（１）けん先の先端部が摩耗した場合にけん先の先端部のみを交換する。
（２）けんの重量バランスなどを調節する。
ことのできるけん玉を提供するものである。
【課題を解決するための手段】
【０００８】
上記課題は、
けん軸と、一端面に大皿を有し他端面に小皿を有する皿胴とで構成されたけんと、
けん先（けん軸における皿胴よりも上側に突き出た部分全体のこと。以下同じ。）を刺し通すための穴を有する玉と、
けんと玉とを結ぶ糸と
を備えたけん玉において、
けん先の先端部が、着脱可能な着脱部材とされ、
該着脱部材として、互いに交換可能な複数の着脱部材が備えられ、該複数の着脱部材には、半球状又は円錐状を為すものが複数個含まれるとともに、
使用しない着脱部材を収容する部分が、けん又は玉に設けられていないことを特徴とするけん玉
を提供することによって解決される。
【０００９】
本発明のけん玉において、複数の着脱部材は、全て同じもの（最初の着脱部材に摩耗が生じた場合などに交換するためのもの）であってもよい。しかし、複数の着脱部材のうち少なくとも２つの着脱部材が、重さ、形状又は色彩のうちいずれか１つ以上の項目において異なっていると好ましい。これにより、けんの重量バランスを調節したり、けんの形状や色彩を変更したりすることで、けん玉の技の難易度を変化させたり、新たな技を行うことなどが可能になる。
【００１０】
例えば、形状においては、以下のように複数の着脱部材を構成すると好ましい。
（１）複数の着脱部材のうち少なくとも１つの着脱部材を、けん先の先端部を半球状又は円錐状とするためのものにする。以下においては、この形状の着脱部材を「標準型の着脱部材」と呼ぶことがある。
（２）複数の着脱部材のうち少なくとも１つの着脱部材を、けん先の先端部を截頭円錐台状（標準型の着脱部材の頂部を潰した形状）とするためのものにする。以下においては、この形状の着脱部材を「潰れ型の着脱部材」と呼ぶことがある。
（３）複数の着脱部材のうち少なくとも１つの着脱部材を、けん先の先端部に糸を引っ掛けるためのスリット溝を形成するためのものにする。以下においては、この形状の着脱部材を「スリット溝型の着脱部材」と呼ぶことがある。
（４）複数の着脱部材のうち少なくとも１つの着脱部材を、けん先の先端部に糸を結ぶための糸穴を形成するためのものにする。以下においては、この形状の着脱部材を「糸穴型の着脱部材」と呼ぶことがある。
（５）複数の着脱部材のうち少なくとも１つの着脱部材を、けん先の先端部に他のけん玉のけん先を連結するためのものにする。以下においては、この形状の着脱部材を「連結型の着脱部材」と呼ぶことがある。
（６）複数の着脱部材のうち少なくとも１つの着脱部材を、けん先の先端部に小型カメラを取り付けるためのものにする。以下においては、この形状の着脱部材を「カメラ内蔵型の着脱部材」と呼ぶことがある。
これら標準型、潰れ型、スリット溝型、糸穴型、連結型及びカメラ内蔵型の着脱部材については、後で詳しく説明する。
【００１１】
さらにまた、本発明のけん玉において、着脱部材は、けん先における着脱部材以外の部分（以下、「けん先の基部」と呼ぶ。）に対して着脱可能な状態で取り付けることができるものであれば、その詳細な構造は特に限定されない。しかし、けん先の基部の先端面に嵌挿穴を設け、着脱部材を、前記嵌挿穴に嵌挿するための軸部を備えたものとすると好ましい。このとき、着脱部材の前記軸部に、該軸部の外周面に沿って弾性突起を環状に形成した抜け止め部を設けると好ましい。また、これとは逆に、けん先の基部の先端面に軸部を設け、着脱部材を、前記軸部を嵌挿するための嵌挿穴を備えたものとすることも好ましい。このとき、着脱部材の前記嵌挿穴の内周面に、けん先の基部における前記軸部の外周面に螺合するための螺子溝を設けると好ましい。これらの構成を採用することにより、けん先の基部に対して着脱部材をしっかりと取り付けるだけでなく、着脱部材を容易に着脱することも可能になる。また、その機構も簡素なので、けん玉の製造コストを抑えることも可能である。さらに、着脱部材の素材や、着脱部材におけるけん先に装着した際に外部に表れる部分（以下、この部分を「（着脱部材の）「頭部」と呼ぶことがある。）の形状を変化させなくても、前記軸部の長さを変える（図２及び図５の符号１１２ｂを参照）だけで着脱部材の重量を変化させることも可能になる。
【００１２】
そして、本発明のけん玉において、上記のように、けん先の基部に嵌挿穴を設ける場合又は着脱部材に嵌挿穴を設ける場合には、前記嵌挿穴の内部に収容してけん先の重量を調節するためのウエイト部材（図６の符号４００を参照）を備えることも好ましい。これにより、ウエイト部材の有無や、嵌挿穴に収容するウエイト部材の種類や数を選択することなどによって、けん先の重量を変化させ、けんの重量バランスを調節することが可能になる。このとき、嵌挿穴にウエイト部材をそのまま収容すると、嵌挿穴の内部でウエイト部材が振動し、異音が発生したり、けんの重量バランスが安定しないなどの不具合が発生するおそれがあるので、嵌挿穴の底部にクッション材（図６の符号５００を参照）を収容すると好ましい。
【発明の効果】
【００１３】
以上のように、本発明によって、
（１）けん先が摩耗した場合にけん先のみを交換する。
（２）けんの重量バランスなどを調節する。
ことのできるけん玉を提供することが可能になる。
【図面の簡単な説明】
【００１４】
【図１】けん先の基部に標準型の着脱部材を取り付けた本発明のけん玉を示した正面図である。
【図２】本発明のけん玉において、標準型の着脱部材をけん先の基部に取り付ける様子を示した拡大図である。
【図３】本発明のけん玉において、色の異なる標準型の着脱部材をけん先の基部に取り付ける様子を示した拡大図である。
【図４】本発明のけん玉において、螺子山が設けられた軸部を有する標準型の着脱部材をけん先の基部に取り付ける様子を示した拡大図である。
【図５】本発明のけん玉において、軸部の寸法が異なる標準型の着脱部材をけん先の基部に取り付ける様子を示した拡大図である。
【図６】本発明のけん玉において、けん先の基部に設けられた嵌挿穴にウエイト部材を収容する様子を示した拡大図である。
【図７】「月面着陸」という技を行う場合において、けんの重量バランスの変化による技の難易度の変化を説明する図である。
【図８】「飛行機」という技を行う場合において、けんの重量バランスの変化による技の難易度の変化を説明する図である。
【図９】「灯台」という技を行う場合において、けんの重量バランスの変化による技の難易度の変化を説明する図である。
【図１０】本発明のけん玉において、潰れ型の着脱部材をけん先の基部に取り付ける様子を示した拡大図である。
【図１１】本発明のけん玉において、スリット溝型の着脱部材をけん先の基部に取り付ける様子を示した拡大図である。
【図１２】けん先にスリット溝型の着脱部材を取り付けたけん玉を用いて技を行っている様子を示した図である。
【図１３】本発明のけん玉において、糸穴型の着脱部材をけん先の基部に取り付ける様子を示した拡大図である。
【図１４】本発明のけん玉において、連結型の着脱部材をけん先の基部に取り付ける様子を示した拡大図である。
【図１５】けん先の基部に連結型の着脱部材を取り付けて２つのけん玉のけん先同士を連結した状態を示した図である。
【図１６】本発明のけん玉において、カメラ内蔵型の着脱部材をけん先の基部に取り付ける様子を示した拡大図である。
【図１７】従来から存在する一般的なけん玉を示した正面図である。
【図１８】本発明のけん玉において、螺子溝が設けられた嵌挿穴を有する標準型の着脱部材をけん先の基部に取り付ける様子を示した拡大図である。
【発明を実施するための形態】
【００１５】
以下、本発明のけん玉の好適な実施態様について図面を用いてより具体的に説明する。
【００１６】
［本実施態様のけん玉の概要］
図１は、けん先１１１の基部に標準型の着脱部材１１２を取り付けたけん玉を示した正面図である。本実施態様のけん玉は、図１に示すように、けん１００と、玉２００と、糸３００とで構成されている。けん１００と玉２００は、糸３００によって結ばれている。けん１００は、けん軸１１０と皿胴１２０とで構成されており、玉２００には、けん軸１１０における皿胴１２０よりも上側に突き出たけん先１１１を刺し通すための穴２１０が設けられている。けん先１１１の先端部は、けん先１１１の基部に対して着脱可能な着脱部材１１２となっている。
【００１７】
本実施態様のけん玉は、着脱部材１１２として、標準型の着脱部材１１２（図２）と、潰れ型の着脱部材１１２（図１０）と、スリット溝型の着脱部材１１２（図１１）と、糸穴型の着脱部材１１２（図１３）と、連結型の着脱部材１１２（図１４）と、カメラ内蔵型の着脱部材１１２（図１６）の６種類を備えたものとなっている。これら６種類の着脱部材１１２は、互いに交換可能なものとなっている。これら６種類の着脱部材１１２については、後で詳しく説明する。また、これら６種類の着脱部材１１２は一例であり、その一部の着脱部材１１２を省略する、あるいは、上記６種類以外の着脱部材１１２を追加することも可能である。
【００１８】
ところで、糸３００をけん１００側に留めるための糸穴１２３は、図１７に示す一般的なけん玉のように、皿胴１２０の上下幅方向中心よりもやや上部に設けてもよいが、本実施態様のけん玉では、図１に示すように、皿胴１２０におけるけん先１１１の付根と接する位置に設けている。このように、糸穴１２３を一般的なけん玉よりも上側に位置させることで、けん１００から糸３００に加えられる摩擦を軽減して糸３００が切れにくくすることが可能になる。また、けん１００のバランスが良くなるので、後述する「飛行機」や「灯台」といった技が行いやすくなる。このほか、糸穴１２３の位置を皿胴１２０の左右幅方向中心から左右にずらすことによっても、技の難易度を変えることができる。
【００１９】
［標準型の着脱部材］
以下、上記６種類の着脱部材１１２について順に説明する。まず、標準型の着脱部材１１２について説明する。標準型の着脱部材１１２は、図２に示すように、半球状に形成された頭部１１２ａと、頭部１１２ａから下側に延びる軸部１１２ｂとを備えたものとなっている。図２は、標準型の着脱部材１１２をけん先１１１の基部に取り付ける様子を示した拡大図である。図２において、けん先１１１は、その中心軸を通る平面で切断した断面として描いている（図３〜６，１０，１１，１３，１４，１６についても同様である。）。日本けん玉協会が公式のものとして認定している一般的なけん玉は、けん先１１１の先端部が半球状（又は円錐状）となっているが、標準型の着脱部材１１２をけん先１１１の基部に装着すると、けん先の先端部が半球状となり、けん玉を図１７に示すような一般的なけん玉として使用することが可能になる。標準型の着脱部材は、最も使用頻度が高く、摩耗しやすいと考えられるため、複数個を用意しておくと好ましい。
【００２０】
頭部１１２ａは、着脱部材１１２を構成する部分であって、けん先１１１の基部に着脱部材１１２を装着した後に外部に露出する部分となっている。このため、頭部１１２ａは、通常、けん先１１１と同じ色とされるが、同型の着脱部材１１２でも、図３に示すように、異なる色を付した複数種類を用意することも好ましい。図３は、色の異なる標準型の着脱部材１１２をけん先１１１の基部に取り付ける様子を示した拡大図である。このように頭部１１２ａの色を変えることにより、けん玉の技の難易度を変化させることが可能になる。例えば、頭部１１２ａを赤色など目立つ色とした場合には、頭部１１２ａを他の部分よりも目立たせ、けん先１１１を玉２００の穴２１０に刺し通す技を成功させやすくすることが可能になる。
【００２１】
着脱部材１１２の頭部１１２ａの素材は、必要な強度を有するものであれば特に限定されない。頭部１１２ａの素材としては、樹脂やゴムや金属や木材などが例示される。頭部１１２ａは、木など摩耗しやすい素材で形成しても、本実施態様のけん玉は、着脱部材１１２のみを交換することによりメンテナンス可能であるため、特に問題はない。本実施態様のけん玉において、着脱部材１１２の頭部１１２ａは、安価で成形が容易なポリエチレン樹脂によって形成したもののみを採用している。しかし、けん先１１１の重量を調節できるようにする場合には、後述する着脱部材１１２の軸部１１２ｂと同様、同型の着脱部材１１２でも、密度の異なる材料で形成した複数種類を用意しておくこともできる。
【００２２】
続いて、軸部１１２ｂについて説明する。軸部１１２ｂは、着脱部材１１２をけん先１１１の基部に取り付けることができるように、けん先１１１の基部の先端面に設けられた嵌挿穴１１１ａに嵌挿するための部分となっている。軸部１１２ｂは、嵌挿穴１１１ａに嵌挿して固定できる構造のものであれば特に限定されない。例えば、図４に示すように、嵌挿穴１１１ａを螺子穴とするとともに、軸部１１２ｂの外周面に螺子山１１２ｄを設け、着脱部材１１２をけん先１１１の基部の先端部に螺合することができるようにすることも可能である。図４は、螺子山１１２ｄが設けられた軸部１１２ｂを有する標準型の着脱部材１１２をけん先１１１の基部に取り付ける様子を示した拡大図である。しかし、図４の螺合構造を採用すると、無模様の標準型の着脱部材１１２の場合には、特に問題にならないものの、模様のある標準型の着脱部材１１２や、頭部１１２ａの形状が異方性を有する着脱部材１１２の場合に、嵌挿穴１１１ａの螺子溝と軸部１１２ｂの螺子山１１２ｄとを高精度に形成しておかないと、軸部１１２ｂを嵌挿穴１１１ａに螺合した際に、着脱部材１１２の頭部１１２ａが所望の向きに向かなくなるおそれがある。このため、本実施態様のけん玉においては、軸部１１２ｂを以下の構造としている。
【００２３】
すなわち、図２に示すように、軸部１１２ｂには、螺子山を設けることなく、代わりに抜け止め部１１２ｃを設けている。嵌挿穴１１１ａは、螺子穴とはしていない。抜け止め部１１２ｃは、軸部１１２ｂの外周面に沿って環状に形成された弾性突起となっており、軸部１１２ｂを嵌挿穴１１１ａに嵌挿したした際に嵌挿穴１１１ａの内周面に密着することにより、軸部１１２ｂが嵌挿穴１１１ａから抜けるのを防止するための部分となっている。抜け止め部１１２ｃは、通常、ゴムなどの弾性材料によって形成される。軸部１１２ｂを抜け止め部１１２ｃと同じ素材で形成する場合には、抜け止め部１１２ｃを軸部１１２ｂと同時に一体的に形成することもできるが、異なる素材で形成する場合には、抜け止め部１１２ｃは、軸部１１２ｂと別体とされる。この場合、抜け止め部１１２ｃは、軸部１１２ｃに対して外嵌させる、あるいは軸部１１２ｃに対して別材料を一体的に成形することなどによって設けられる。このとき、軸部１１２ｂの外周面に溝を環状に設けておき、この部分に抜け止め部１１２ｃが位置するようにすると、抜け止め部１１２ｃが軸部１１２ｂから外れるのを防止することができる。
【００２４】
ところで、本実施態様のけん玉においては、軸部１１２ｂ及び嵌挿穴１１１ａの長手方向に垂直な断面形状を真円としている。しかし、けん先１１１の基部に着脱部材１１２を装着した後に、着脱部材１１２がけん先１１１の基部に対して回転するのを防止したい場合には、軸部１１２ｂ及び嵌挿穴１１１ａの前記断面形状を多角形や楕円形などの非円形とするとよい。これにより、嵌挿穴１１１ａに対して軸部１１２ｂを噛み合わせた状態に位置決めし、けん先１１１のの基部に装着された着脱部材１１２の軸部１１２ｂが回転しないようにすることが可能になる。この構成は、図４の螺合構造とした場合には採用することができないものであり、図２に示すように、軸部１１２ｂを嵌挿構造としたことによって採用することができるようになったものである。この構成は、後述するスリット溝型の着脱部材１１２（図１１）や連結型の着脱部材１１２（図１５）など、着脱部材１１２が回転すると困る場合に採用すると好適である。
【００２５】
軸部１１２ｂの素材は、必要な強度を有するものであれば特に限定されない。軸部１１２ｂの素材としては、樹脂やゴムや金属や木材などが例示される。軸部１１２ｂは、着脱部材１１２の頭部１１２ａと同じ素材で形成してもよいし、異なる素材で形成してもよい。本実施態様のけん玉において、標準型の着脱部材１１２は、その軸部１１２ｂを、ポリエチレンで形成した軽量タイプと、アクリルニトリルブタジエンスチレン（ＡＢＳ）樹脂で形成した中量タイプと、ポリオキシメチレン樹脂（ジュラコン（登録商標））で形成した重量タイプの３種類を用意している。このほか、軸部１１２ｂを金属で形成することや、金属などの重量素材を軸部１１２ｂの内部に埋め込むことなどによって、さらに軸部１１２ｂを重くすることもできる。このように、同型の着脱部材１１２でも、軸部１１２ｂの重さが異なる複数種類を用意しておくことによって、けん先１１１の重量を調節することができるようになる。
【００２６】
また、けん先１１１の重量は、同型の着脱部材１１２でも、図５に示すように、軸部１１２ｂの長さなど寸法が異なる複数種類を用意しておくことでも調節することが可能である。図５は、軸部１１２ｂの寸法が異なる標準型の着脱部材１１２をけん先１１１の先端部に取り付ける様子を示した拡大図である。さらに、けん先１１１の重量は、図６に示すように、嵌挿穴１１１ａにウエイト部材４００を収容することでも調節することが可能である。図６は、けん先１１１の基部に設けられた嵌挿穴１１１ａにウエイト部材４００を収容する様子を示した拡大図である。このとき、嵌挿穴１１１ａにウエイト部材４００をそのまま収容すると、嵌挿穴１１１ａの内部でウエイト部材４００が振動し、異音が発生したり、けん１１０の重量バランスが安定しないなどの不具合が発生するおそれがあるので、嵌挿穴１１１ａの底部にクッション材５００を収容すると好ましい。
【００２７】
ところで、ここまでは、けん先１１１の基部の嵌挿穴１１１ａに着脱部材１１２の軸部１１２ｂを嵌挿する場合について説明したが、軸部１１２ｂと嵌挿穴１１１ａとの関係を逆にすることもできる。すなわち、図１８に示すように、けん先１１１の基部の先端面に軸部１１１ｂを設けるとともに、着脱部材１１２に嵌挿穴１１２ｉを設け、軸部１１１ｂを嵌挿穴１１２ｉに嵌挿することにより、けん先１１１の基部に対して着脱部材１１２を固定できるようにすることができる。図１８は、螺子溝１１２ｊが設けられた嵌挿穴１１２ｉを有する標準型の着脱部材１１２をけん先１１１の基部に取り付ける様子を示した拡大図である。この場合、嵌挿穴１１２ｉの内周面には、軸部１１１ｂの外周面に螺合するための螺子溝１１２ｊを設けると、けん先１１１の基部に対して着脱部材１１２を螺合することが可能になる。このとき、軸部１１１ｂには、螺子棒を使用する。
【００２８】
以上のように、本実施態様のけん玉は、同型の着脱部材１１２であっても（例えば、同じ標準型の着脱部材１１２であっても）、その頭部１１２ａや軸部１１２ｂの素材や寸法や、ウエイト部材５００の有無やその種類を選択して、けん先１１１の重量を変化させることにより、けん１００の重量バランスを調節することが可能なものとなっている。このため、使用するけん玉を変更しなくても、使用する着脱部材１１２やウエイト部材を選択するだけで、特定の技の難易度を変化させることが可能である。以下、けんの重量バランスの変化による技の難易度の変化について、具体例を挙げて説明する。
【００２９】
例えば、日本けん玉協会が発表している「けん玉の技百選」の中には、「月面着陸」という技がある。「月面着陸」は、玉２００を持った状態でけん１００を上方に振り上げ、図７に示すように、皿胴１２０の大皿１２１（又は小皿１２２）が玉２００と接するように、けん１００を玉２００の上に載せる技である。図７は、「月面着陸」を行う場合において、けん１００の重量バランスの変化による技の難易度の変化を説明する図である。この「月面着陸」を行う場合において、けん先１１１が重いと、けん１００の重心がけん先１１１側に寄るため、玉２００の上のけん１００は、図７における左側の図のように、比較的水平に近い寝た状態で重量バランスがとれるようになる。このため、技が成功しやすくなる。一方、けん先１１１が軽いと、けん１００の重心がけんじり１１４側に寄るため、玉２００の上のけん１００は、図７における右側の図のように、比較的鉛直に近い立った状態で重量バランスがとれるようになる。このため、技が成功しにくくなる。
【００３０】
また、上記の「けん玉の技百選」の中には、「飛行機」という技がある。「飛行機」は、穴２１０が上向きとなるよう玉２００を持った状態で、図８の矢印Ａで示すように、玉２００を中心としてけん１００を反回転（又は多数回回転）させて逆さにし、そのけん先１１１を穴２１０に刺し通す技である。図８は、「飛行機」という技を行う場合において、けん１００の重量バランスの変化による技の難易度の変化を説明する図である。この「飛行機」を行う場合において、けん先１１１が重いと、けん１００の重心がけん１００の回転中心（玉２００）に近くなり、けん１００を振り上げる際の角速度が速くなる（回転数が高くなる）。このため、技が成功しにくくなる。一方、けん先１１１が軽いと、けん１００の重心がけん１００の回転中心から遠くなり、けん１００を振り上げる際の角速度が遅くなる（回転数が低くなる）。このため、技が成功しやすくなる。
【００３１】
さらに、上記の「けん玉の技百選」の中には、「灯台」という技がある。「灯台」は、玉２００を持った状態で、図９の矢印Ｂで示すように、けん１００を上方に振り上げ、中皿１１６が玉２００と接するように、けん１００を玉２００の上に立てる技である。図９は、「灯台」という技を行う場合において、けん１００の重量バランスの変化による技の難易度の変化を説明する図である。この「灯台」を行う場合において、けん先１１１が重いと、けん１００の重心が高い位置になるため、引き上げられるけん１００の姿勢が不安定となる。このため、技が成功しにくくなる。一方、けん先１１１が軽いと、けん１００の重心が低い位置になるため、引き上げられるけん１００の姿勢が安定する。このため、技が成功しやすくなる。
【００３２】
勿論、本実施態様のけん玉では、上述した「月面着陸」、「飛行機」及び「灯台」以外の技の難易度を変化させることも可能である。このように、本実施態様のけん玉は、その技の難易度を変化させて楽しむことが可能なものとなっている。けん先１１１の重量（着脱部材１１２とウエイト部材４００の合計の重量）を何段階で調節できるようにするかは、特に限定されないが、通常、２段階以上、好ましくは、３段階以上とされる一方、多くとも１０〜２０段階程度までとされる。また、けん先１１１の先端部（着脱部材１１２）の重量の調節範囲も、特に限定されないが、通常、１〜１００ｇ、好ましくは、３〜５０ｇ、より好ましくは、５〜２０ｇとされる。さらに、けん先１１１の先端部（着脱部材１１２）の重量の調節幅（何ｇ刻みで調節できるか）も、特に限定されないが、通常、０．５ｇ刻み以上で、好ましくは、１ｇ刻み以上とされる一方、多くとも５０〜１００ｇ刻み程度までとされる。
【００３３】
［潰れ型の着脱部材］
次に、潰れ型の着脱部材１１２について説明する。図１０は、潰れ型の着脱部材１１２をけん先１１１の基部に取り付ける様子を示した拡大図である。潰れ型の着脱部材１１２は、図１０に示すように、その頭部１１２ａが截頭円錐台状に形成されたものとなっている。換言すると、潰れ型の着脱部材１１２の頭部１１２ａは、標準型の着脱部材１１２の頭部１１２ａ（図２を参照）の頂部を潰した形状となっている。潰れ型の着脱部材１１２をけん先１１１の基部に装着すると、けん先１１１の先端部を截頭円錐台状とすることができる。このため、けん先１１１の先端部に玉２００を載せる技や、玉２００の上にけん１１０を逆さに立てる技（玉２００の上にけん先１１１の先端部を載せる技）や、手や指の上にけん１００を逆さに立てる技（手や指の上にけん先１１１の先端部を載せる技）など、一般的なけん玉ではできなかった新しい技を行うことが可能になる。本実施態様のけん玉において、潰れ型の着脱部材１１２は、その頂部が玉２００と同じ曲率半径で球面状に窪まされており、その部分で玉２００を受けやすくしている。その他、潰れ型の着脱部材１１２における軸部１１２ｂの構造や、各部の材料など、ここで特に言及しない構成は、上記の標準型の着脱部材１１２と同様であるために、説明を割愛する。
【００３４】
［スリット溝型の着脱部材］
次に、スリット溝型の着脱部材１１２について説明する。図１１は、スリット溝型の着脱部材１１２をけん先１１１の基部に取り付ける様子を示した拡大図である。図１２は、けん先１１１の基部にスリット溝型の着脱部材１１２を取り付けたけん玉を用いて技を行っている様子を示した図である。スリット溝型の着脱部材１１２は、図１１に示すように、その頭部１１２ａにスリット溝１１２ｅが設けられたものとなっている。スリット溝１１２ｅは、頭部１１２ａの上面に沿って頭部１１２ａの正面側から背面側に設けられている。これにより、図１２に示すように、スリット溝１１２ｅに糸３００を引っ掛けることが可能になり、これを応用した新しい技を行うことが可能になる。その他、スリット溝型の着脱部材１１２における軸部１１２ｂの構造や、各部の材料など、スリット溝型の着脱部材１１２について特に言及しない構成は、標準型の着脱部材１１２と同様であるために、説明を割愛する。スリット溝型の着脱部材１１２は、潰れ型の着脱部材１１２と組み合わせたハイブリッド型とすることもできる。
【００３５】
［糸穴型の着脱部材］
次に、糸穴型の着脱部材１１２について説明する。図１３は、糸穴型の着脱部材１１２をけん先１１１の基部に取り付ける様子を示した拡大図である。糸穴型の着脱部材１１２は、図１３に示すように、その頭部１１２ａを一方から他方へ貫通する糸穴１１２ｆが設けられたものとなっている。この糸穴１１２ｆには、図１３における右側の図に示すように、糸３００を輪状に結ぶことができる。このように、糸３００のけん１００側の端部を、けん先１１１に設けた糸穴１１２ｆに固定することにより、糸３００のけん１００側の端部が皿胴１２０に固定された一般的なけん玉（図１７）とは異なる感覚でけん玉を楽しむことが可能になる。また、けん玉で新しい技を行うことも可能になる。その他、糸穴型の着脱部材１１２における軸部１１２ｂの構造や、各部の材料など、糸穴型の着脱部材１１２について特に言及しない構成は、標準型の着脱部材１１２と同様であるために、説明を割愛する。糸穴型の着脱部材１１２は、潰れ型の着脱部材１１２やスリット溝型の着脱部材１１２と組み合わせたハイブリッド型とすることもできる。
【００３６】
［連結型の着脱部材］
次に、連結型の着脱部材１１２について説明する。図１４は、連結型の着脱部材１１２をけん先１１１の基部に取り付ける様子を示した拡大図である。図１５は、けん先１１１の基部に連結型の着脱部材１１２を取り付けて２つのけん玉のけん先１１１同士を連結した状態を示した図である。図１５において、けん先１１１周辺を拡大して描いた部分では、けん先１１１は、その中心軸を通る平面で切断した断面として描いている。連結型の着脱部材１１２は、図１４に示すように、標準型の着脱部材１１２における頭部１１２ａ（図２）に相当する部分まで軸部１１２ｂが延長された構造となっており、その軸部１１２ｂを嵌挿穴１１ａに嵌挿した際に、嵌挿穴１１１ａから軸部１１２ｂの上半分が突き出る形状となっている。このため、図１５に示すように、一のけん玉におけるけん先１１１の基部に、他のけん玉におけるけん先の基部を連結することが可能となっている。したがって、一般的なけん玉では行うことのできない新しい技を行うことが可能となっている。その他、連結型の着脱部材１１２における軸部１１２ｂの構造や、各部の材料など、連結型の着脱部材１１２について特に言及しない構成は、標準型の着脱部材１１２と同様であるために、説明を割愛する。
【００３７】
［カメラ内蔵型の着脱部材］
最後に、カメラ内蔵型の着脱部材１１２について説明する。図１６は、カメラ内蔵型の着脱部材１１２をけん先１１１の基部に取り付ける様子を示した拡大図である。カメラ内蔵型の着脱部材１１２は、図１６に示すように、その頭部１１２ａに小型カメラ１１２ｇが内蔵されたものとなっており、頭部１１２ａの頂部を視点とした動画を撮影することができるものとなっている。これにより、今までにない新しい視点でけん玉の技を撮影することが可能になる。小型カメラ１１２ｇの下端部からは、小型カメラ１１２ｇに電力を供給するため、あるいは小型カメラ１１２ｇが撮影した動画データを出力するためのケーブル１１２ｈが引き出されている。ケーブル１１２ｈは、着脱部材１１２の軸部１１２ｂを貫通して、嵌挿穴１１１ａに収容される。小型カメラ１１２ｇに電力を供給するための電源（図示省略）や小型カメラ１１２ｇが撮影した動画データを格納するためのメモリ（図示省略）は、けん軸１１０や皿胴１２０に設けられた空洞部に収容することができる。その他、カメラ内蔵型の着脱部材１１２における軸部１１２ｂの構造や、各部の材料など、カメラ内蔵型の着脱部材１１２について特に言及しない構成は、標準型の着脱部材１１２と同様であるために、説明を割愛する。カメラ内蔵型の着脱部材１１２は、潰れ型の着脱部材１１２やスリット溝型の着脱部材１１２や糸穴型の着脱部材１１２の着脱部材１１２と組み合わせたハイブリッド型とすることもできる。
【符号の説明】
【００３８】
１００    けん
１１０    けん軸
１１１    けん先
１１１ａ  嵌挿穴
１１１ｂ  軸部
１１２    着脱部材
１１２ａ  頭部
１１２ｂ  軸部
１１２ｃ  抜け止め部
１１２ｄ  螺子山
１１２ｅ  スリット溝
１１２ｆ  糸穴
１１２ｇ  小型カメラ
１１２ｈ  ケーブル
１１２ｉ  嵌挿穴
１１２ｊ  螺子溝
１１４    けんじり
１１５    滑り止め
１１６    中皿
１１６ａ  中皿のふち
１２０    皿胴
１２１    大皿
１２１ａ  大皿のふち
１２２    小皿
１２２ａ  小皿のふち
１２３    糸穴
２００    玉
２１０    穴
３００    糸
４００    ウエイト部材
５００    クッション材
【図１】
0006557471.tif 000002
【図２】
0006557471.tif 000003
【図３】
0006557471.tif 000004
【図４】
0006557471.tif 000005
【図５】
0006557471.tif 000006
【図６】
0006557471.tif 000007
【図７】
0006557471.tif 000008
【図８】
0006557471.tif 000009
【図９】
0006557471.tif 000010
【図１０】
0006557471.tif 000011
【図１１】
0006557471.tif 000012
【図１２】
0006557471.tif 000013
【図１３】
0006557471.tif 000014
【図１４】
0006557471.tif 000015
【図１５】
0006557471.tif 000016
【図１６】
0006557471.tif 000017
【図１７】
0006557471.tif 000018
【図１８】
0006557471.tif 000019